Podtech/llm-jp-corpus-v4-ja_patent huggingface dataset:
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
対象における癌への感受性を診断する方法であって、ＬＤブロックＡに関連するマーカー又はハプロタイプを検出することを含んでなり、該マーカー又はハプロタイプの存在が癌への感受性を示す方法。
【請求項２】
該マーカー又はハプロタイプが表１３のマーカーから成る群より選択されるマーカーである、請求項１に記載の方法。
【請求項３】
該マーカーがｒｓ１４４７２９５  Ａアレル又はＤＧ８Ｓ７３７  −８アレルである、請求項２に記載の方法。
【請求項４】
該癌が、前立腺癌、乳癌、肺癌及びメラノーマから成る群より選択される、請求項１に記載の方法。
【請求項５】
該癌が、前立腺癌であり、及び該マーカー又はハプロタイプが少なくとも１．５の相対リスクを有する、請求項４に記載の方法。
【請求項６】
該前立腺癌が、７（４＋３）〜１０の合計グリーソンスコアにより定義される進行性前立腺癌である、請求項４又は５に記載の方法。
【請求項７】
該前立腺癌が、２〜７（３＋４）の合計グリーソンスコアにより定義されるより遅い進行性前立腺癌である、請求項４又は５に記載の方法。
【請求項８】
該マーカー又はハプロタイプの存在が、より進行性の前立腺癌及び／又はより悪い予後を示す、請求項５又は６に記載の方法。
【請求項９】
該癌が、乳癌であり、及び該マーカー又はハプロタイプが少なくとも１．３の相対リスクを有する、請求項４に記載の方法。
【請求項１０】
該癌が、肺癌であり、及び該マーカー又はハプロタイプが少なくとも１．３の相対リスクを有する、請求項４に記載の方法。
【請求項１１】
該癌が、メラノーマであり、及び該マーカー又はハプロタイプが少なくとも１．５の相対リスクを有する、請求項４に記載の方法。
【請求項１２】
該メラノーマが悪性皮膚メラノーマである、請求項４に記載の方法。
【請求項１３】
該マーカー又はハプロタイプの存在が、特定の治療様式への患者の異なった応答率を示す、請求項１〜１２の何れか１項に記載の方法。
【請求項１４】
該マーカー又はハプロタイプの存在が、腫瘍又はその前駆体におけるＣｈｒ８ｑ２４．２１の体細胞再構成の素因を示す、請求項１〜１３の何れか１項に記載の方法。
【請求項１５】
該体細胞再構成が、増幅、転座、挿入及び欠失から成る群より選択される、請求項１４に記載の方法。
【請求項１６】
該マーカー又はハプロタイプが、表１３のマーカーから成る群より選択される一つ又はそれより多くのマーカーと、（｜Ｄ’｜＞０．８）及び／又はｒ２＞０．２により定義される強い連鎖不平衡にあるＣｈｒ８ｑ２４．２１に関連する一つ又はそれより多くのマーカーを含んでなる、請求項１〜１５の何れか１項に記載の方法。
【請求項１７】
該表１３のマーカーから成る群より選択される一つ又はそれより多くのマーカーが、ｒｓｌ４４７２９５  Ａアレル又はＤＧ８Ｓ７３７  −８アレルを含んでなる、請求項１６に記載の方法。
【請求項１８】
該少なくとも一つのマーカー又はハプロタイプが、１未満の相対リスクを有し、及びｒｓ１２５４２６８５アレルＴ及びｒｓ７８１４２５１アレルＣを含んでなる、請求項１に記載の方法。
【請求項１９】
該少なくとも一つのマーカー又はハプロタイプが、１未満の相対リスクを有する表１３に示された少なくとも一つのマーカーを含んでなる、請求項１に記載の方法。
【請求項２０】
該癌が前立腺癌である、請求項１８又は１９に記載の方法。
【請求項２１】
対象における前立腺癌についての増加したリスクを予期する方法であって、マーカーｒｓｌ４４７２９５を検出することを含んでなり、ｒｓｌ４４７２９５中のＡアレルの存在は進行性前立腺癌についての増加したリスクを示す、前記方法。
【請求項２２】
対象における進行性前立腺癌についての増加したリスクを予期する方法であって、マーカーｒｓｌ４４７２９５を検出することを含んでなり、ｒｓｌ４４７２９５中のＡアレルの存在は進行性前立腺癌についての増加したリスクを示す、前記方法。
【請求項２３】
個体における前立腺癌の減少したリスクを診断する方法であって、表２２に示されたハプロタイプを検出することを含んでなり、該ハプロタイプの存在が前立腺癌への減少した感受性を示す、前記方法。
【請求項２４】
個体における前立腺癌の減少したリスクを診断する方法であって、１未満の相対リスクを有する、表１３に示されたマーカーを検出することを含んでなり、該マーカーの存在は前立腺癌への減少した感受性を示す、前記方法。
【請求項２５】
個体における前立腺癌の増加したリスクを診断する方法であって、１より大きな相対リスクを有する、表１３に示されたマーカーを検出することを含んでなり、該マーカーの存在は前立腺癌への増加した感受性を示す、前記方法。
【請求項２６】
対象が黒人アフリカ系祖先を有する、請求項１〜２５のいずれか一項に記載の方法。
【請求項２７】
癌への感受性を検出するため、対象からのサンプルをアッセイするためのキットであって、ＬＤブロックＡに関連するマーカー又はハプロタイプを検出するための一つ又はそれより多くの試薬を含んでなる、前記キット。
【請求項２８】
該癌が前立腺癌、乳癌、肺癌及びメラノーマから成る群より選択される、請求項２７に記載のキット。
【請求項２９】
該癌が前立腺癌である、請求項２８に記載のキット。
【請求項３０】
該一つ又はそれより多くの試薬が、表１３のマーカーから成る群より選択される少なくとも一つのマーカーを含んでなる領域と完全に相補的である少なくとも一つの連続したヌクレオチド配列を含んでなる、請求項２７〜２９のいずれか一項に記載のキット。
【請求項３１】
該一つ又はそれより多くの試薬が、ｒｓｌ４４７２９５  Ａアレル又はＤＧ８Ｓ７３７  −８アレルを含んでなる領域と完全に相補的である少なくとも一つの連続したヌクレオチド配列を含んでなる、請求項２７〜３０のいずれか一項に記載のキット。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
ａ)免疫グロブリン軽鎖をコードする少なくとも１つの核酸配列に作動するように結合した、プロモーターまたは内部リボソーム進入部位、
少なくとも１つの内部リボソーム進入部位により免疫グロブリン軽鎖をコードする核酸配列から分離された、免疫グロブリン重鎖をコードする核酸配列、および
内部リボソーム進入部位またはプロモーターが上流に配置された、少なくとも１つの選択マーカー配列、あるいは
ｂ)免疫グロブリン重鎖をコードする少なくとも１つの核酸配列に作動するように結合した、プロモーターまたは内部リボソーム進入部位、
少なくとも１つの内部リボソーム進入部位により免疫グロブリン重鎖をコードする核酸配列から分離された、免疫グロブリン軽鎖をコードする核酸配列、および
内部リボソーム進入部位またはプロモーターが上流に配置された、少なくとも１つの選択マーカー配列
を含むベクター。
【請求項２】
前記選択マーカーをコードする核酸配列は、前記免疫グロブリン軽鎖および重鎖をコードする核酸配列の上流にある、請求項１記載のベクター。
【請求項３】
前記免疫グロブリン軽鎖および重鎖をコードする核酸配列は、前記選択マーカーをコードする核酸配列の上流にある、請求項１記載のベクター。
【請求項４】
前記免疫グロブリン軽鎖および重鎖をコードする核酸配列と前記選択マーカーをコードする核酸配列との間に位置する内部リボソーム進入部位を含む、請求項１〜３いずれかに記載のベクター。
【請求項５】
前記少なくとも１つの核酸配列に作動するように結合した１若しくはそれ以上のプロモーターを含む、請求項１〜４いずれかに記載のベクター。
【請求項６】
前記プロモーターは、構成的プロモーター、誘導性プロモーター、組織特異的プロモーター、または宿主特異的プロモーターである、請求項５記載のベクター。
【請求項７】
前記選択マーカーは、陰性選択マーカーである、請求項１〜６いずれかに記載のベクター。
【請求項８】
前記陰性選択マーカーは、単純ヘルペスウイルスチミジンキナーゼ（ｈｅｒｐｅｓ  ｓｉｍｐｌｅｘ  ｖｉｒｕｓ  ｔｈｙｍｉｄｉｎｅ  ｋｉｎａｓｅ：ＨＳＶ−ＴＫ）またはその誘導体である、請求項７記載のベクター。
【請求項９】
前記陰性選択マーカーは、配列ＩＤ番号１の核酸配列によりコードされる、請求項７または８記載のベクター。
【請求項１０】
陽性選択マーカーを含む、請求項１〜９いずれかに記載のベクター。
【請求項１１】
少なくとも１つのポリアデニル化シグナルをさらに含む、請求項１〜１０いずれかに記載のベクター。
【請求項１２】
前記ポリアデニル化シグナルは、前記選択マーカーをコードする核酸配列の下流にある、請求項１１記載のベクター。
【請求項１３】
前記ポリアデニル化シグナルは、前記選択マーカーをコードする核酸配列の上流にある、請求項１１記載のベクター。
【請求項１４】
前記ポリアデニル化シグナルは、前記組換えタンパク質をコードする核酸配列の下流にある、請求項１１記載のベクター。
【請求項１５】
前記ポリアデニル化シグナルは、前記組換えタンパク質をコードする核酸配列の上流にある、請求項１１記載のベクター。
【請求項１６】
前記免疫グロブリン軽鎖は、配列ＩＤ番号５のアミノ酸配列を含む、および／または前記免疫グロブリン重鎖は、配列ＩＤ番号７のアミノ酸配列を含む、請求項１〜１５いずれかに記載のベクター。
【請求項１７】
前記免疫グロブリン軽鎖をコードする核酸配列は、配列ＩＤ番号４の核酸配列を含む、および／または前記免疫グロブリン重鎖をコードする核酸配列は、配列ＩＤ番号６の核酸配列を含む、請求項１〜１５いずれかに記載のベクター。
【請求項１８】
所望の表現型を有する、単離された遺伝的に安定な細胞を産生する方法であって、
ａ）組換えポリペプチドを発現させる条件下で細胞を培養し、細胞ライブラリーを作製する工程、
ｂ）前記細胞ライブラリーから新しい表現型を示すクローンを選択する工程、
ｃ）前記選択されたクローンを増大させる工程、および
ｄ）前記組換えポリペプチドを発現していないクローンを選択する工程
を含み、前記細胞は請求項１〜１７いずれかに記載のベクターを含む、方法。
【請求項１９】
前記ベクターは、ｐＩＲＥＳ−ｐｒｏ−ＴＫまたはｐＩＲＥＳ−ＭＡＢ−ＴＫである、請求項１８記載の方法。
【請求項２０】
宿主細胞は、哺乳類細胞、植物細胞、両生動物細胞、昆虫細胞または真菌細胞である、請求項１８または１９記載の方法。
【請求項２１】
前記培養工程中に突然変異生成を誘発する工程をさらに含む、請求項１８〜２０いずれかに記載の方法。
【請求項２２】
前記突然変異生成を誘発する工程は、前記培養工程中に突然変異原で前記細胞を処理する工程または前記培養工程中に前記細胞のミスマッチ修復を阻害する工程を含む、請求項２１記載の方法。
【請求項２３】
請求項１〜１７いずれかに記載のベクターを含む細胞、または請求項１８〜２２いずれかに記載の方法によって得られ得る細胞。
【請求項２４】
細胞であって、第一核酸配列及び第二核酸配列に作動するように結合したプロモーターを含む組換え発現ベクターを含み、前記第一の配列は組換えｃＤＮＡおよび／または選択マーカー配列をコードするものであり、前記第二の配列は組換えｃＤＮＡまたは選択マーカー配列のいずれかをコードするものである、細胞。
【請求項２５】
前記第一核酸配列は、組換え軽鎖および／または重鎖ｃＤＮＡをコードする、請求項２４記載の細胞。
【請求項２６】
前記第一核酸配列は、選択マーカー配列をコードする、請求項２４または２５記載の細胞。
【請求項２７】
前記第一核酸配列は、内部リボソーム進入部位により前記第二核酸配列から分離されている、請求項２４〜２６いずれかに記載の細胞。
【請求項２８】
前記組換え発現ベクターは、ｐＩＲＥＳ−ＭＡＢ−ＴＫ、またはｐＩＲＥＳ−ｐｒｏ−ＴＫである、請求項２４〜２７いずれかに記載の細胞。
【請求項２９】
前記細胞は、真核生物、哺乳類動物または原核生物である、請求項２３〜２８いずれかに記載の細胞。
【請求項３０】
細胞におけるｐＩＲＥＳ−ｐｒｏ−ＴＫの存在を決定する方法であって、
（ａ）ｐＩＲＥＳ−ｐｒｏ−ＴＫを細胞に形質移入する工程、および
（ｂ）前記ベクターを特異的に検出できるプライマーまたはＤＮＡプローブを用いて工程（ａ）の細胞を分析する工程
を含む方法。
【請求項３１】
ｐＩＲＥＳ−ＭＡＢ−ＴＫベクターの存在を決定する方法であって、
（ａ）ｐＩＲＥＳ−ＭＡＢ−ＴＫを細胞に形質移入する工程、および
（ｂ）前記ベクターを特異的に検出できるプライマーまたはＤＮＡプローブを用いて工程（ａ）の細胞を分析する工程
を含む方法。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
変異していない対照ポリメラーゼと比較して、ＤＮＡに対する低下した親和性を有する変異させたポリメラーゼであって、
９°Ｎ  ＤＮＡポリメラーゼのアミノ酸配列中のＬｙｓ７０５、Ａｒｇ７１３及び／又はＡｒｇ７４３、あるいは、
ＲＢ６９ＤＮＡポリメラーゼのアミノ酸配列中のＬｙｓ７９０、Ｌｙｓ８００、Ａｒｇ８０６、Ｌｙｓ８４４、Ｌｙｓ８７４及び／又はＬｙｓ８７８
と位置的に同等な１つ又は複数の位置における、非塩基性のアミノ酸への少なくとも１つのアミノ酸置換変異を有することを特徴とする、
ポリメラーゼ。
【請求項２】
さらに、９°Ｎ  ＤＮＡポリメラーゼのアミノ酸配列中のＬｅｕ４０８Ｔｙｒ及びＴｙｒ４０９Ａｌａ及びＰｒｏ４１０Ｖａｌと位置的に同等な置換変異を含む、請求項１に記載のポリメラーゼ。
【請求項３】
さらに、９°Ｎ  ＤＮＡポリメラーゼのアミノ酸配列中のＣｙｓ２２３Ｓｅｒと位置的に同等な置換変異を含む、請求項１に記載のポリメラーゼ。
【請求項４】
変異していない対照ポリメラーゼが、９°Ｎ  ＤＮＡポリメラーゼである、請求項２又は３に記載のポリメラーゼ。
【請求項５】
変異していない対照ポリメラーゼが、ファミリーＢタイプのＤＮＡポリメラーゼである、請求項１〜４のいずれか一項に記載のポリメラーゼ。
【請求項６】
変異していない対照ポリメラーゼが、ファミリーＢの古細菌ＤＮＡポリメラーゼのいずれか、ヒトＤＮＡポリメラーゼα、並びにＴ４、ＲＢ６９及びφ２９ファージのＤＮＡポリメラーゼからなる群から選択される、請求項５に記載のポリメラーゼ。
【請求項７】
ファミリーＢの古細菌ＤＮＡポリメラーゼが、Ｖｅｎｔ、Ｄｅｅｐ  Ｖｅｎｔ、９°Ｎ及びＰｆｕのポリメラーゼからなる群から選択される、請求項６に記載のポリメラーゼ。
【請求項８】
１つ、２つ又は３つのアミノ酸の別のアミノ酸への置換変異を、９°Ｎ  ＤＮＡポリメラーゼのアミノ酸配列中のＬｙｓ７０５、Ａｒｇ７１３及び／又はＡｒｇ７４３と位置的に同等な１つ又は複数の位置において含む、請求項１〜７のいずれか一項に記載のポリメラーゼ。
【請求項９】
１つ、２つ、３つ、４つ、５つ又は６つのアミノ酸の別のアミノ酸への置換変異を、ＲＢ６９ＤＮＡポリメラーゼのアミノ酸配列中のＬｙｓ７９０、Ｌｙｓ８００、Ａｒｇ８０６、Ｌｙｓ８４４、Ｌｙｓ８７４及び／又はＬｙｓ８７８と位置的に同等な１つ又は複数の位置において含む、請求項１〜８のいずれか一項に記載のポリメラーゼ。
【請求項１０】
１つ又は複数の置換変異が、置換されるアミノ酸を、
（ｉ）酸性アミノ酸；
（ｉｉ）芳香族アミノ酸；及び
（ｉｉｉ）非極性アミノ酸
からなる群から選択されるアミノ酸に変換する、請求項１〜９のいずれか一項に記載のポリメラーゼ。
【請求項１１】
１つ又は複数の置換変異が、置換されるアミノ酸をアラニンに変換する、請求項１０に記載のポリメラーゼ。
【請求項１２】
９°Ｎ  ＤＮＡポリメラーゼのアミノ酸配列中のＬｙｓ７０５Ａｌａ及び／又はＡｒｇ７１３Ａｌａ及び／又はＡｒｇ７４３Ａｌａと位置的に同等な１つ又は複数の置換変異を含む、請求項１〜１１のいずれか一項に記載のポリメラーゼ。
【請求項１３】
配列番号１、３、５のいずれか１つであるアミノ酸配列を含む、請求項１に記載のポリメラーゼ。
【請求項１４】
請求項１〜１３のいずれか一項に記載のポリメラーゼをコードする核酸分子。
【請求項１５】
変異させた９°Ｎ  ＤＮＡポリメラーゼをコードする、請求項１４に記載の核酸分子であって、配列番号２、４又は６のヌクレオチド配列を含む核酸分子。
【請求項１６】
配列番号１９のヌクレオチド配列を含む核酸分子。
【請求項１７】
請求項１４〜１６のいずれか一項に記載の核酸分子を含む発現ベクター。
【請求項１８】
請求項１７に記載のベクターを含有する宿主細胞。
【請求項１９】
ヌクレオチドをポリヌクレオチド内に取り込むための、請求項１〜１３のいずれか一項に記載のポリメラーゼの使用。
【請求項２０】
取り込みがクラスターアレイ上で起きる、請求項１９に記載の使用。
【請求項２１】
ヌクレオチドをＤＮＡ内に取り込む方法であって、以下の成分：
（ｉ）請求項１〜１３のいずれか一項に記載のポリメラーゼと
（ｉｉ）ＤＮＡ鋳型と
（ｉｉｉ）ヌクレオチド溶液と
を相互作用させることを含む方法。
【請求項２２】
ヌクレオチド取り込み反応を行う場合に使用するキットであって、
請求項１〜１３のいずれか一項に記載のポリメラーゼと、ヌクレオチド溶液とを含むキット。
【請求項２３】
ヌクレオチド溶液が、標識化ヌクレオチドを含む、請求項２２に記載のキット。
【請求項２４】
置換基が天然の３’ヒドロキシル基より大きくなるように、ヌクレオチドが３’糖ヒドロキシル基において修飾されている、請求項２３に記載のキット。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
シュードモナス・アエルギノーザ（Pseudomonas aeruginosa）アズリンおよびウルバ・ペルツサ（Ulva pertusa）プラストシアニンからなる群から選択されるキュプレドキシンの短縮型である単離されたペプチドであって、インビトロにおいて哺乳類癌細胞の増殖を阻害できる単離されたペプチド。
【請求項２】
請求項１に記載の単離されたペプチドであって、該ペプチドは、アズリンの残基96〜113、アズリンの残基88〜113、エフリンB2のG-Hループ領域に構造的に類似したアズリンの領域、アズリンの残基76〜128、アズリンの残基36〜1２８、プラストシアニンの残基57〜98、プラストシアニンの残基70〜84、およびエフリンB2のG-Hループ領域に構造的に類似したプラストシアニンの領域からなる群から選択される単離されたペプチド。
【請求項３】
シュードモナス・アエルギノーザ（Pseudomonas aeruginosa）アズリンおよびウルバ・ペルツサ（Ulva pertusa）プラストシアニンからなる群から選択されるキュプレドキシンの短縮型である単離されたペプチドであって、エフリン受容体に結合する単離されたペプチド。
【請求項４】
請求項３に記載の単離されたペプチドであって、該ペプチドは、アズリンの残基96〜113、アズリンの残基88〜113、エフリンB2のG-Hループ領域に構造的に類似したアズリンの領域、アズリンの残基76〜128、アズリンの残基36〜1２８、プラストシアニンの残基57〜98、プラストシアニンの残基70〜84、およびエフリンB2のG-Hループ領域に構造的に類似したプラストシアニンの領域からなる群から選択される単離されたペプチド。
【請求項５】
請求項３に記載の単離されたペプチドであって、エフリンにも結合する単離されたペプチド。
【請求項６】
請求項５に記載の単離されたペプチドであって、前記エフリンが、エフリンA1、エフリンA2、エフリンA3、エフリンA4、エフリンA5、エフリンB1、エフリンB2、エフリンB3、およびエフリンB4からなる群から選択される単離されたペプチド。
【請求項７】
請求項５に記載の単離されたペプチドであって、エフリンおよびその受容体に結合する単離されたペプチド。
【請求項８】
請求項７に記載の単離されたペプチドであって、エフリン2BおよびEph2Bに結合するペプチド。
【請求項９】
シュードモナス・アエルギノーザ（Pseudomonas aeruginosa）アズリンおよびウルバ・ペルツサ（Ulva pertusa）プラストシアニンからなる群から選択されるキュプレドキシンの短縮型である単離されたペプチドであって、エフリンA1、エフリンA2、エフリンA3、エフリンA4、エフリンA5、エフリンB1、エフリンB2、エフリンB3およびエフリンB4からなる群から選択されたエフリンに結合する単離されたペプチド。
【請求項１０】
請求項９に記載の単離されたペプチドであって、該ペプチドは、アズリンの残基96〜113、アズリンの残基88〜113、エフリンB2のG-Hループ領域に構造的に類似したアズリンの領域、アズリンの残基76〜128、アズリンの残基36〜128、プラストシアニンの残基57〜98、プラストシアニンの残基70〜84、およびエフリンB2のG-Hループ領域に構造的に類似したプラストシアニンの領域からなる群から選択される単離されたペプチド。
【請求項１１】
請求項１〜１０の何れか１項に記載のペプチドの1以上を含有してなる医薬組成物。
【請求項１２】
請求項１１に記載の医薬組成物であって、該組成物は静脈内投与のために処方される医薬組成物。
【請求項１３】
バイアル瓶の中に、請求項１１に記載の医薬組成物を含んでなるキット。
【請求項１４】
請求項１３に記載のキットであって、該キットは静脈内投与のために設計されるキット。
【請求項１５】
癌細胞を請求項１１の組成物と接触させることと；該癌細胞の増殖を測定することとを含んでなる方法。
【請求項１６】
請求項１５に記載の方法であって、前記癌細胞が、乳癌、肝癌、胃腸癌、神経芽細胞腫、神経癌、白血病、リンパ腫、前立腺癌、膵臓癌、肺癌、メラノーマ、卵巣癌、子宮内膜腫瘍、絨毛癌、奇形癌腫、甲状腺癌、軟組織および骨から生じるものを含む全ての肉腫、腎癌、類表皮癌、または非小細胞性肺癌からなる群から選択される方法。
【請求項１７】
請求項１５に記載の方法であって、前記がん細胞がインビボのものである方法。
【請求項１８】
請求項１に記載のペプチドをコードする発現ベクター。
【請求項１９】
哺乳類患者においてエフリン受容体を備えた組織を検出する方法であって：
（ａ）前記患者に対して請求項１１の組成物を投与し、ここでの前記単離されたペプチドは検出可能なプローブに融合されることと；
（ｂ）前記患者において前記プローブを検出すること
を含んでなる方法。
【請求項２０】
請求項１〜１０の何れか１項に記載のペプチドの使用であって、エフリン信号伝達に関連した病理学的症状または癌を治療するための医薬組成物の製造における使用。
【請求項２１】
請求項１〜１０の何れか１項に記載のペプチドの使用であって、患者における血管の成長を調節するための医薬組成物の製造における使用。
【請求項２２】
請求項１〜１０の何れか１項に記載のペプチドの使用であって、患者における神経の成長を案内するための医薬組成物の製造における使用。
【請求項２３】
請求項１〜１０の何れか１項に記載のペプチドの使用であって、患者における骨形成を促進するための医薬組成物の製造における使用。
【請求項２４】
請求項１〜１０の何れか１項に記載のペプチドの使用であって、エフリンの使用を必要とする治療方法においてエフリンの代りに用いるための医薬組成物の製造における使用。
【請求項２５】
請求項１〜１０の何れか１項に記載のペプチドの使用であって、エフリン受容体の活性を調節するための医薬組成物の製造における使用。
【請求項２６】
請求項１１に記載の医薬組成物であって、エフリン信号伝達に関連した病理学的症状または癌を治療するための医薬組成物。
【請求項２７】
請求項１１に記載の医薬組成物であって、患者における血管の成長を調節するための医薬組成物。
【請求項２８】
請求項１１に記載の医薬組成物であって、患者における神経の成長を案内するための医薬組成物。
【請求項２９】
請求項１１に記載の医薬組成物であって、患者における骨形成を促進するための医薬組成物。
【請求項３０】
請求項１１に記載の医薬組成物であって、エフリンの使用を必要とする治療方法においてエフリンの代りに用いるための医薬組成物。
【請求項３１】
請求項１１に記載の医薬組成物であって、エフリン受容体の活性を調節するための医薬組成物。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
成年動物(adult animal)に全タンパク質の少なくとも３重量％の量のリシンを含む食物(food)を与えることを含む、該動物の健康(health)または健全(wellness)を促進する方法。
【請求項２】
食物が少なくとも約１.５：１のリシン：代謝可能エネルギー比率(metabolic energy ratio)を有する、請求項１記載の方法。
【請求項３】
動物がコンパニオン動物または食用動物である、請求項１記載の方法。
【請求項４】
動物がイヌ科動物またはネコ科動物である、請求項１記載の方法。
【請求項５】
動物が年長動物(senior animal)または老年動物(geriatric animal)である、請求項１
記載の方法。
【請求項６】
健康または健全を促進することが、動物の体重を調整することを含む、請求項１記載の方法。
【請求項７】
動物が超過体重、肥満であるか、または肥満になる傾向がある、請求項６記載の方法。
【請求項８】
健康または健全を促進することが窒素保持を増加させることを含む、請求項１記載の方法。
【請求項９】
動物が腎不全または腎機能障害に罹りやすいまたは罹っていることが分かっている、請求項１記載の方法。
【請求項１０】
健康または健全を促進する量の腎臓薬と一緒に食物を与えることをさらに含む、請求項９記載の方法。
【請求項１１】
プロバイオティクスおよびプレバイオティクスからなるグループより選択された、健康または健全を促進する量の胃腸管改善薬と一緒に食物を与えることをさらに含む、請求項１記載の方法。
【請求項１２】
食物が缶入り湿性食物または乾燥食物である、請求項１記載の方法。
【請求項１３】
全タンパク質の少なくとも約３重量％の量でリシンを含む食物を動物に与えることを含む、成年動物による食物摂取を調節する方法。
【請求項１４】
動物が体重超過、肥満または肥満の傾向を有する、請求項１３記載の方法。
【請求項１５】
食物が少なくとも約１.５：１のリシン：代謝可能エネルギー比率を有する、請求項１
３記載の方法。
【請求項１６】
動物がコンパニオン動物または食用動物である、請求項１３記載の方法。
【請求項１７】
動物がイヌまたはネコである、請求項１３記載の方法。
【請求項１８】
動物が年長または老年の動物である、請求項１３記載の方法。
【請求項１９】
リシンおよび食物を個別の容器に単一パッケージ(single package)で含むキットであって、リシンおよび食物が、合わせた場合に全タンパク質の少なくとも３重量％の量でリシンを含む食物を作るために充分な量で存在する、該キット。
【請求項２０】
少なくとも１つの（１）腎臓薬、（２）腎臓用装置、（３）成年動物の健康または健全を促進すること、成年動物による食物摂取を調節すること、成年動物による窒素保持を増加させること、健康および健全を促進する量の腎臓薬と全タンパク質の少なくとも約３重量％の量でリシン含む食物を一緒に与えること、および腎機能を測定し腎不全または腎機能障害の存在および重症度を評価するための腎臓診断装置を用いることに関する情報または説明を伝達する１以上の手段、ならびに（４）プロバイオティクスおよびプレバイオティクスからなるグループより選択された胃腸管改善薬；をさらに含む、請求項１９記載のキット。
【請求項２１】
全タンパク質の少なくとも約３重量％の量でリシンを含む食物；ならびに、少なくとも１つの（１）腎臓薬、（２）腎臓用装置、（３）成年動物の健康または健全を促進すること、成年動物による食物摂取を調節すること、成年動物による窒素保持を増加させること、健康および健全を促進する量の腎臓薬と全タンパク質の少なくとも約３重量％の量でリシン含む食物を一緒に与えること、および腎機能を測定し腎不全または腎機能障害の存在および重症度を評価するための腎臓診断装置を用いることに関する情報または説明を伝達する１以上の手段、および（４）プロバイオティクスおよびプレバイオティクスからなるグループより選択された胃腸管改善薬；を単一パッケージ内に個別の容器で含むキット。
【請求項２２】
成年動物の健康あるいは健全を促進し；成年動物による食物摂取を調整し、成年動物による窒素保持を増加させ；健康あるいは健全を促進する量の腎臓薬と全タンパク質の少なくとも約３重量％の量でリシンを含む食物を一緒に与え；さらに、腎臓機能を測定し腎不全あるいは機能障害の存在および重症度を評価するための腎臓診断装置であって、情報または説明を含有する、文書、デジタル保存媒体、光学保存媒体、音声表示、視覚ディスプレーを含む該装置を用いることに関する情報または説明を伝達する手段。
【請求項２３】
ディスプレーウェッブサイト、パンフレット、製品ラベル、パッケージ挿入物、広告または視覚ディスプレーを含む、請求項２２記載の伝達手段。
【請求項２４】
全タンパク質の少なくとも約３重量％の量でリシンを含む食物を動物に与えることを含む、成年動物による窒素保持を増大させる方法。
【請求項２５】
動物が腎不全または腎機能障害に罹りやすいか、または罹っているかを決定する、請求項２４記載の方法。
【請求項２６】
食物が少なくとも約１.５：１のリシン：窒素代謝可能エネルギー比率を有する、請求項２４記載の方法。
【請求項２７】
動物がコンパニオン動物または食用動物である、請求項２４記載の方法。
【請求項２８】
動物がイヌまたはネコである、請求項２４記載の方法。
【請求項２９】
全タンパク質の少なくとも約３重量％を有する食物を製造するために充分な量で食物に補足リシン(supplemental lysine)を加えることを含む、全タンパク質の少なくとも約３
重量％の量でリシンを含む食物を製造するプロセス。
【請求項３０】
請求項２９記載のプロセス製造物。
【請求項３１】
全タンパク質の少なくとも約３重量％の量でリシンを含む食物。
【請求項３２】
リシン：代謝可能エネルギーの比率が少なくとも約１.５：１である、請求項３１記載
の食物。
【請求項３３】
動物がイヌである、請求項４記載の方法。
【請求項３４】
食物が、少なくとも約１.７：１のリシン：代謝可能エネルギー比率を有する、請求項
３３記載の方法。
【請求項３５】
該比率が少なくとも約２：１である、請求項３４記載の方法。
【請求項３６】
該比率が約１.７：１から約５：１である、請求項３４記載の方法。
【請求項３７】
動物がネコである、請求項４記載の方法。
【請求項３８】
ペットフードが少なくとも約３.２：１のリシン：代謝可能エネルギー比率を有する、
請求項３７記載の方法。
【請求項３９】
該比率が少なくとも約５：１である、請求項３８記載の方法。
【請求項４０】
該比率が約３.２：１から約１０：１である、請求項３８記載の方法。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
複合冷凍組成物を形成するのに適した改質ビスケット生成品であって、
粒状加熱処理ビスケット材又はシリアルとカカオ脂同等品タイプの糖菓油脂との固形混合物であり、前記粒が油脂で被覆されている固形混合物を含み、
粒状ビスケットと油脂との前記混合物は容器又は被覆の形状の塊に凝縮されており、
凝縮された前記混合物の形状が３０℃以下の温度で前記油脂の凝固作用によって維持される、改質ビスケット生成品。
【請求項２】
前記粒状加熱処理ビスケット材又は前記シリアルが、破砕された加熱処理ビスケット片又は破砕されたブレックファストシリアルである、請求項１に記載の改質ビスケット生成品。
【請求項３】
前記ビスケット材の前記粒が、かけら状、粒状、又は粉状の形態であり、前記粒の大きさが平均粒径０．５〜１０ｍｍである、請求項１に記載の改質ビスケット生成品。
【請求項４】
前記改質ビスケット生成品混合物が、１５重量％〜４０重量％の油脂と、８５重量％〜６０重量％の加熱処理ビスケット材とを含む、請求項１に記載の改質ビスケット生成品。
【請求項５】
粒状加熱処理ビスケット片を油脂で被覆するために、粒状加熱処理ビスケット片又はブレックファストシリアルを溶融したカカオ脂同等品タイプの糖菓油脂と混合するステップであって、溶融したカカオ脂同等品タイプの前記糖菓油脂が３０℃を超える温度を有するステップと、被覆された前記粒を凝縮するステップと、ある形状の塊を得るために凝縮された前記粒を冷却するステップとを含む、請求項１に記載の改質ビスケット生成品を製作する方法。
【請求項６】
請求項１〜４のいずれか一項に記載の改質ビスケット生成品の被覆又は容器と、氷糖菓とを含む複合冷凍糖菓。
【請求項７】
前記改質ビスケット生成品の被覆が、コーン、カップ、サンドイッチ、又はバーの形態である、請求項６に記載の複合冷凍糖菓。
【請求項８】
請求項１に記載の改質ビスケット生成品からコーンを形成する方法であって、コーンマシーン上の形成装置の底部支持型によって保持されたパッケージスリーブ中に、３０℃を超える温度に維持された前記改質ビスケット生成品の適切な分割量を投入するステップと、回転型を前記パッケージスリーブ中に降下させるステップと、投入した前記改質ビスケット生成品をコーンに成形するために、０．５〜２秒の時間、保持するステップであって、その後、前記底部支持装置及び回転装置が所定位置から離れて、形成された前記コーンを前記パッケージスリーブ中に残すステップとを含む方法。
【請求項９】
アイスクリームを入れるコーンの形にされた請求項１に記載の改質ビスケット生成品を含む複合冷凍糖菓を製造する方法であって、粒状加熱処理ビスケット片を油脂で被覆するために、８５重量％〜６０重量％の粒状加熱処理ビスケット片又はブレックファストシリアルを１５重量％〜４０重量％の溶融カカオ脂同等品タイプの糖菓油脂と混合するステップであり、改質ビスケット生成品を生成するために、溶融油脂は３０℃を超える温度を有するステップと、粒状加熱処理ビスケット片又はブレックファストシリアルと油脂との混合物を３０℃を越える温度に維持しながら前記改質ビスケット生成品をコーンの形にするステップと、３０℃を超える温度に維持された前記コーンを、前記コーンの形成から２１秒間以内に氷糖菓で充填するステップとを含む方法。
【請求項１０】
前記氷糖菓が、柔らかな質感を有する泡氷組成物、泡アイスクリーム、シャーベット若しくはソルベ、又はアイスヨーグルトであり得る、請求項６に記載の複合冷凍糖菓。
【請求項１１】
前記氷糖菓が、４０〜１５０％のオーバーラン、好ましくは８０〜１２０％のオーバーランを有する泡氷組成物又は泡アイスクリームである、請求項１０に記載の複合冷凍糖菓。
【請求項１２】
前記氷菓が、押出成形され、同時に押出成形された様々な色彩及び香りの個別のアイスクリーム、シャーベット若しくはソルベ、又はアイスヨーグルトで構成され、実質的に柔らかい質感の、混合若しくは大理石模様又は斑模様の本体を生成するために、シロップ若しくはソース、又は小さな介在粒子を含有し得る、請求項６に記載の複合冷凍糖菓。
【請求項１３】
前記氷糖菓と前記ビスケット状被覆又は容器とに加えて、油脂ベースのさくさくした素材、好ましくはチョコレート又は糖菓被覆などの追加の素材を含む、請求項６に記載の複合冷凍糖菓。
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
ディスプレイをもたらすための手段を有する立体ディスプレイ装置であって、前記立体ディスプレイ装置は、第一の面において横方向に分離された画素と、各々が前記画素のグループに関連する光学ディレクトリ素子のグループを有する光学ディレクトリ手段とを有し、前記画素は、第一の方向に中心線を備える列で構成され、前記光学ディレクトリ手段は、前記画素の出力を相互に異なる角方向に向かせるために前記第一の面において前記画素上に重なると共に前記第一の方向に対して傾斜させられ、前記光学ディレクトリ手段の中心軸と、少なくとも前記立体ディスプレイ装置の一部に対する自身の交差点における前記中心線とは交差部を規定し、特定の前記中心線における前記交差部の位置は、前記第一の方向における前記画素のピッチの単位で前記中心線における第一の交差部に対する前記位置を示す位置番号によって決定され、各々の前記位置番号は、正又は負の整数番号と０よりも大きな値又は０に等しい値且つ１よりも小さな値を有する分数位置番号との和になり、前記特定の中心線における全ての前記交差部は、複数のｋセットで分布させられ、各々の前記セットは、k>1の場合に範囲0, 1/k, 2/k, … (k-1)/kにおける前記分数位置番号を有し、前記中心線のための、前記分数部分の全数に対する前記分数部分の異なるセットの寄与は、ほぼ等しくなる立体ディスプレイ装置。
【請求項２】
前記列はディスプレイ列に対応し、前記光学ディレクトリ手段の前記中心軸と前記中心線との間の角度は、-45度と+45度との間の値を有する請求項１に記載の立体ディスプレイ装置。
【請求項３】
前記画素は、フルカラー画素のサブピクセルに対応する請求項１又は２に記載の立体ディスプレイ装置。
【請求項４】
ｋ＝２である請求項１又は２に記載の立体ディスプレイ装置。
【請求項５】
ｋ＝３である請求項１又は２に記載の立体ディスプレイ装置。
【請求項６】
ｋ＝４である請求項１又は２に記載の立体ディスプレイ装置。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
スキャンミラーの運動をモニタするための装置であって、
永久磁石および活性化可能な駆動コイルを有する駆動部であって、該永久磁石は、永久磁場を有しており、該永久磁石と一緒に運動させるために、該ミラー上に搭載されており、該活性化可能な駆動コイルは、周期的な駆動信号によって活性化されたときに、該磁石の該永久磁場と相互作用する電磁場を生成し、該ミラーおよび該磁石と一緒に運動する、駆動部と、
該ミラーおよび該磁石の一緒の運動を表している第１のフィードバック信号を生成するための、該磁石の付近の第１のフィードバックコイルであって、該第１のフィードバックコイルはまた、該駆動コイルの付近にも存在しており、該第１のフィードバック信号はまた、駆動信号とのクロストークによって劣化されている、第１のフィードバックコイルと、
第２のフィードバックコイルであって、該第１のフィードバックコイルと比べて、該磁石から離れて配置されており、該第１のフィードバック信号よりも弱い第２のフィードバック信号を生成するように動作可能であり、該第２のフィードバック信号もまた、該ミラーおよび該磁石の一緒の運動を表しており、該第２のフィードバックコイルはまた、該駆動コイルの付近にも存在しており、該第２のフィードバック信号はまた、該駆動信号との該クロストークによって劣化されている、第２のフィードバックコイルと、
該フィードバック信号を処理するための手段であって、該第１のフィードバック信号から該クロストークを除去することにより、該スキャンミラーの運動を表している、クロストークが低減されたフィードバック信号を生成する、手段と
を備えている、装置。
【請求項２】
前記駆動部は、ボビンを含んでおり、前記駆動コイルおよび前記フィードバックコイルは、該ボビンのまわりに巻かれている、請求項１に記載の装置。
【請求項３】
前記処理手段は、前記第１のフィードバック信号からの前記第２のフィードバック信号の減算を含んでいる、請求項１に記載の装置。
【請求項４】
前記処理手段は、１つの円周方向に巻かれている第１のフィードバックコイル、反対の円周方向に巻かれている第２のフィードバックコイル、および該第１のフィードバックコイルと該第２のフィードバックコイルとを電気的に接続するための手段を含んでいる、請求項１に記載の装置。
【請求項５】
前記装置は、レーザをさらに含んでおり、該レーザは、前記スキャンミラーにレーザビームを配向し、該スキャンミラーは、該スキャンミラーの運動の間に、該ビームを掃引するために、該スキャンミラーから、該ビームを反射させる、請求項１に記載の装置。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
奇数のスキャンラインおよび偶数のスキャンラインのパターン上でデータ信号を、各スキャンラインに沿って光線を掃引するように動作するスキャンミラーの動きと同期するための装置であって、
中心位置の相対する終端における終端位置間で、該スキャンミラーを定期的に振動するための駆動部と、
各奇数のスキャンラインの掃引中に、該スキャンミラーからの反射のために該スキャンミラーに対して第一の光パルスを伝送するため、かつ各偶数のスキャンラインの掃引中に、該スキャンミラーからの反射のために該スキャンミラーに対して第二の光パルスを伝送するための照明装置であって、近接する奇数および偶数のスキャンラインの該第一および第二の光パルスは、同一の持続時間である、照明装置と、
該第一および第二の光パルスによって、該スキャンミラーから反射される光を検出して、それぞれ、第一および第二の検出信号を生成するための検出器と、
該駆動部、該照明装置および該検出器と動作するように接続されたプロセッサであって、該プロセッサは、該第一および第二の検出信号を処理して、各近接する奇数および偶数のスキャンラインに対する該ミラーの中心位置を決定するため、かつ該スキャンラインのパターンのアラインメントのために、各奇数のスキャンラインに対する該中心位置と、各近接する偶数のスキャンラインに対する該中心位置とを整列させるために該駆動部を制御する、プロセッサと
を備えている、装置。
【請求項２】
レーザビームを前記光線として放出するレーザを含み、各スキャンラインは多数のピクセルを有し、前記プロセッサは、ビデオ信号に応答して、該レーザを活性化して、該スキャンライン上で、選択されたピクセルを照明させ、可視状態にし、画像を生成するための制御装置を含む、請求項１に記載の装置。
【請求項３】
前記スキャンミラーは、前記レーザビームが入射する第一の反射面と、前記光パルスが入射する第二の反射面とを有する、請求項２に記載の装置。
【請求項４】
前記照明装置は、変調可能な光源であり、前記検出器は光検出器であり、該光源および該光検出器は、前記スキャンミラーの同一の側に位置し、該スキャンミラーの前記第二の反射面を向く、請求項３に記載の装置。
【請求項５】
前記光検出器は、前記スキャンミラーの前記終端位置間で、各検出信号を単調に生成する、請求項４に記載の装置。
【請求項６】
前記駆動部は、前記スキャンミラーを定期的に振動する定期的なミラー駆動信号を生成する、請求項１に記載の装置。
【請求項７】
前記プロセッサは、各第一の検出信号を統合して、第一の統合信号を生成する奇数インテグレータと、各第二の検出信号を統合して、第二の統合信号を生成する偶数インテグレータと、該統合信号を比較し、かつ該統合信号が同一であるときに、各近接する奇数および偶数のスキャンラインに対する前記ミラーの前記中心位置を決定する制御装置とを含む、請求項１に記載の装置。
【請求項８】
前記プロセッサは、第一の対の近接する奇数および偶数のスキャンラインの前記第一および第二の光パルスの前記持続時間が同一であるように維持し、かつ第二の対の近接する奇数および偶数のスキャンラインの該第一および第二の光パルスの該持続時間が、該第一の対の該持続時間と異なるように変更するように動作する制御装置を含む、請求項１に記載の装置。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
低減されたスペックルノイズを有する画像を投影するための装置であって、
表示スクリーンと、
同じ周波数および同じナノ秒範囲のコヒーレンス時間のコヒーレント波を有するレーザビームを放出するためのレーザと、
該スクリーン上に入射されるべきビームを配向し、該スクリーンにわたってスキャンラインのパターンとして該ビームを掃引するための、画像投影アセンブリであって、各スキャンラインは多数のピクセルを有しており、該画像投影アセンブリは、選択されたピクセルを照明させ、可視状態にし、該スクリーン上に画像を生成する、画像投影アセンブリと、
該スクリーンを変化させ、該スクリーン上に入射したビームをナノ秒範囲のコヒーレンス時間以上にわたって捕捉し、時間によって変動する干渉パターンを生成するための手段であって、該干渉パターンにおいて、スペックルノイズは低減されている、手段と
を備えている、装置。
【請求項２】
前記スクリーンは、プラスチックまたはラバー材料のうちの１つから構成されている、請求項１に記載の装置。
【請求項３】
前記レーザは、赤色レーザ、青色レーザ、および緑色レーザのうちの１つである、請求項１に記載の装置。
【請求項４】
前記変化させる手段は、複数の光学的共振器を含んでおり、該光学的共振器は、前記スクリーン上に入射するビームを前記コヒーレンス時間以上にわたって捕捉する、請求項１に記載の装置。
【請求項５】
前記共振器は、前記スクリーン内に埋め込まれたフォトクリスタル粒子である、請求項４に記載の装置。
【請求項６】
各粒子は、ピクセルよりも小さい寸法を有している、請求項５に記載の装置。
【請求項７】
前記装置は、窓を有するハウジングを備えており、レーザビームは、該窓を介して掃引され、前記スクリーンは、該ハウジング上に搭載されている、請求項１に記載の装置。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ＮＩＣＡＭエンコーディング方法であって、
ＮＩＣＡＭ処理を実施する工程と、
フロントエンド処理を前記ＮＩＣＡＭ処理に結合する工程と、であって、
前記フロントエンド処理は、同フロントエンド処理および前記ＮＩＣＡＭ処理を、単一システムクロックから導出されたタイミングに同期させ、前記システムクロックは整数除算可能であることと、
前記フロントエンド処理は、フロントエンド入力処理およびフロントエンド出力処理を含み、前記フロントエンド入力処理は前記ＮＩＣＡＭ処理の入力に結合され、前記フロントエンド出力処理は前記ＮＩＣＡＭ処理の出力に結合されることと、
前記フロントエンド入力処理は、デュアルチャネルアナログ−デジタル変換器（ＡＤＣ）、ファクタＮによるインタポレータ、ファクタＭによる第１デシメータ、プリエンファシスフィルタおよびファクタＰによる第２デシメータ、の使用を含み、前記ＡＤＣは前記インタポレータに結合し、前記インタポレータは前記第１デシメータに結合し、前記第１デシメータは前記プリエンファシスフィルタに結合し、前記プリエンファシスフィルタは前記第２デシメータに結合する、
ＮＩＣＡＭエンコーディング方法。
【請求項２】
前記ＮＩＣＡＭ処理は、７２８ｋＨｚまたは３６４ｋＨｚのサンプリング周波数で動作し、前記フロントエンド処理は、３２ｋＨｚのサンプリング周波数で動作するフロントエンド入力処理、および、２４ＭＨｚ、２７ＭＨｚ、または１０８ＭＨｚのサンプリング周波数で動作するフロントエンド出力処理を含む請求項１に記載のＮＩＣＡＭエンコーディング方法。
【請求項３】
前記フロントエンド出力処理は、インタポレーションファクタＫを有するデジタル平方根累乗余弦（ＳＲＲＣ）フィルタ、可変インタポレーションファクタＬを有する可変インタポレータ、デジタルミキサ、デジタル−アナログ変換器（ＤＡＣ）、および正弦と余弦発生器の使用を含み、前記ＳＲＲＣフィルタは前記可変インタポレータに結合し、前記可変インタポレータは前記ミキサに結合し、前記ミキサは前記ＤＡＣおよび前記正弦＆余弦発生器に結合する請求項１に記載のＮＩＣＡＭエンコーディング方法。
【請求項４】
さらに、前記デュアルチャネルＡＤＣは、１４ビットより良好な初期分解能を含み、前記フロントエンド入力処理の出力に１４ビットの分解能を提供する請求項１に記載のＮＩＣＡＭエンコーディング方法。
【請求項５】
ＮＩＣＡＭエンコーダであって、
ＮＩＣＡＭプロセッサと、
前記ＮＩＣＡＭプロセッサに結合するフロントエンドセクションと、
を備え、
同フロントエンドセクションは、同フロントエンドセクションおよび前記ＮＩＣＡＭプロセッサを、単一システムクロックの整数除算から導出されたタイミングに同期させ、同フロントエンドセクションは、フロントエンド入力セクションおよびフロントエンド出力セクションを備え、前記フロントエンド入力セクションは、前記ＮＩＣＡＭプロセッサの入力に結合され、前記フロントエンド出力セクションは、前記ＮＩＣＡＭプロセッサの出力に結合されており、
前記フロントエンド入力セクションは、
（ａ）インタポレータが第１デシメータに結合し、第１デシメータがプリエンファシスフィルタに結合し、プリエンファシスフィルタが第２デシメータに結合している、ファクタＮによるインタポレータ、ファクタＭによる第１デシメータ、プリエンファシスフィルタ、およびファクタＰによる第２デシメータ、
または、
（ｂ）ＡＤＣがインタポレータに結合し、インタポレータが第１デシメータに結合し、第１デシメータがプリエンファシスフィルタに結合し、プリエンファシスフィルタが第２デシメータに結合している、デュアルチャネルアナログ−デジタル変換器（ＡＤＣ）、ファクタＮによるインタポレータ、ファクタＭによる第１デシメータ、プリエンファシスフィルタ、およびファクタＰによる第２デシメータ、のうちの一方を備える、
ＮＩＣＡＭエンコーダ。
【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
機械振動子ピックオフに接続された第１の位相ロックループ（２７１）と、
前記第１の位相ロックループの出力端に接続された第２の位相ロックループ（２７２）とを備え、
前記第２の位相ロックループは、前記機械振動子モータピックオフからの信号（２１２、２５１）の分数倍周波数を有する正弦波信号を出力することができる、
機械振動子制御システム（１０、２１０）。
【請求項２】
前記正弦波信号と前記機械振動子ピックオフからの前記信号とが互いに整合される、請求項１に記載のシステム。
【請求項３】
前記正弦波信号のエッジまたはクロスオーバ点は、前記機械振動子ピックオフからの前記信号のエッジまたはクロスオーバ点と一致する、請求項２に記載のシステム。